(57)【要約】【課題】コンバータレンズに衝撃が加わった際にその衝撃から、特に硝子部分を衝撃から保護する構造を持ったコンバータレンズを提供すること。【解決手段】コンバータレンズの鏡筒外径部とレンズ保持部の間に空間部を設け外周側は独立した壁で構成する。レンズ保持部には、強度を確保するために鏡筒外径部方向へリブを設け、硝子保持部の壁強度を確保出来る様に構成する。更にリブ面には銘版の貼付け面としての機能を持たせる様に構成する。【選択図】図３
2016090981.tif 000002
【特許請求の範囲】
【請求項１】
一又は複数のレンズから構成されるコンバータレンズであって、前記コンバータレンズの鏡筒には、レンズを保持する保持部と、前記保持部の径方向の外側にリブが形成され、前記リブの径方向外側には外壁部との間に空間部を有することを特徴とするコンバータレンズ。
【請求項２】
前記鏡筒は樹脂製のもので、前記保持部、前記リブ、前記外壁部を樹脂製の前記鏡筒と同一部材で構成されたことを特徴とする請求項１に記載のコンバータレンズ。
【請求項３】
前記保持部と前記外壁部との間を表示領域としたことを特徴とする請求項１又は請求項２に記載のコンバータレンズ。
【請求項４】
前記保持部と前記外壁部との間を表示ラベル領域としたことを特徴とする請求項１乃至請求項３の何れか一項に記載のコンバータレンズ。
【発明の詳細な説明】
【技術分野】
【０００１】
本発明は、コンバータレンズ、特に鏡筒構造、及びそれを用いた光学機器に適用されるコンバータレンズ関する。
【背景技術】
【０００２】
撮像機器等に使用される、コンバータレンズ等は撮像機器の高画質化、広角化に伴いレンズの径が大きく、重量の増える傾向がある。コンバータレンズは撮像機器に着脱して使用するため、着脱時や取り外した状態で落下させてしまうといった事が起きることも有り、その様な場合でも衝撃などからコンバータレンズ、特に硝子部分を保護することに対する要望は高まっている。
【０００３】
レンズコバ部の一部を内周面に当接させて保持するレンズ保持体を備えたレンズユニットレンズ保持体は、内周面に、レンズコバ部の幅よりも狭幅で、レンズとレンズ保持体とが衝撃により相対的に位置ずれした際に、レンズコバ部の角部が内周面と当接しない高さに規定された凸部で構成した構造が知られている（特許文献１参照）。
【０００４】
また、別の従来例として、図５は従来のコンバータレンズを示す図であり、１００はコンバータレンズ、１０１は鏡筒、Ｌ１０１は第一レンズ、１０２は銘版シールと、後述する第二レンズＬ１０２から構成される。図６は図５のコンバータレンズの銘版シール１０２を外した状態を示す図であり、１０３は補強リブで放射状に複数設け、従来例は２４本の補強リブ１０３を設定している。１０４は補強リブ１０３に設けた銘版シール１０２の貼り付けの為の面で、各補強リブ面を同一面とし、銘版シール１０２を補強リブ１０３の貼り付け面１０４に貼り付ける。
【０００５】
図７は従来のコンバータレンズの銘版シール１０２を外した状態の正面図、図８は図７のＢの位置の断面を示す図である。図８において、１３１はＬ１０１の保持部、１３２はＬ１０２の保持部で、１３３は鏡筒１０１の外壁部である。コンバータレンズ１００は鏡筒１０１のＬ１０１側から、先ずＬ１０２レンズを挿入しＬ１０２レンズ保持部１３２を熱カシメで鏡筒１０１にＬ１０２を固定する。
【０００６】
次にＬ１０１を同様に鏡筒１０１に挿入しＬ１０１保持部１３１を熱カシメで鏡筒１０１にＬ１０１を固定して構成される。補強リブ１０３はＬ１０１保持部１３１と外壁部１３３とつなぎ、放射状に複数配置されて、銘版シール１０４を鏡筒１０１の貼り付け面１０４に貼り付ける。
【先行技術文献】
【特許文献】
【０００７】
【特許文献１】特開２０１２−４８０８５号公報
【発明の概要】
【発明が解決しようとする課題】
【０００８】
しかしながら、特許文献１では、衝撃が加わって鏡筒が変形した際にコバの角部が保持体と干渉しない様に構成したものであり、レンズに加わる衝撃が少なくなるものではなく、従来と同様であった。また、別の従来例では、補強リブ１０３はＬ１０１保持部１３１と外壁部１３３と繋がった状態で構成され、鏡筒１０１の径方向からの落下で衝撃が加わった際、外部からの衝撃が補強リブ１０３を伝わりレンズ１０１に入力されてしまうことがあった。
【０００９】
上記述べてきたように従来の撮像機器等に使用される、コンバータレンズ等は撮像機器の高画質化、広角化に伴いレンズの径が大きく、重量が増える傾向にある。コンバータレンズは撮像機器に着脱して使用するため、着脱時や取り外した状態で落下させてしまうといった事が起きることも有り、コンバータレンズ、特に硝子への衝撃が掛かることがあった。
【００１０】
そこで、本発明の目的は、コンバータレンズに衝撃が加わった際にその衝撃から、特に硝子部分を衝撃から保護する構造を持ったコンバータレンズを提供することにある。
【課題を解決するための手段】
【００１１】
上記の目的を達成するために、本発明のコンバータレンズは、コンバータレンズの鏡筒外径部とレンズ保持部の間に空間部を設け外周側は独立した壁で構成する。レンズ保持部には、強度を確保するために鏡筒外径部方向へリブを設け、硝子保持部の壁強度を確保出来る様に構成する。更にリブ面には銘版の貼付け面としての機能を持たせる様に構成する。
【発明の効果】
【００１２】
本発明のコンバータレンズによれば、コンバータレンズのレンズ保持部と鏡筒外径部に空間部を設け外周側を独立した壁とし、外部からの衝撃に対し変形し、光学系へ伝わる衝撃を吸収することが出来る。
【００１３】
また、その内側の光学系保持部は、保持部の強度を確保するためにリブを設け、壁強度を確保出来る様構成する。
【００１４】
更にレンズ保持部のリブには銘版シール貼付け面としての機能を持たせる様に構成することで、従来のコンバータレンズより信頼性を向上することができる。
【図面の簡単な説明】
【００１５】
【図１】実施例1のコンバータレンズを示す図
【図２】実施例1のコンバータレンズの銘版を外した状態を示す図
【図３】実施例1のコンバータレンズの正面図
【図４】実施例1のコンバータレンズの断面を示す図
【図５】従来のコンバータレンズを示す図
【図６】従来のコンバータレンズの銘版を外した状態を示す図
【図７】従来のコンバータレンズの正面図
【図８】従来のコンバータレンズの断面を示す図
【発明を実施するための形態】
【００１６】
以下、本発明を実施するための形態を図面に基づいて説明する。
【００１７】
［実施例１］
本実施例はビデオカメラに装着されるコンバータレンズを例に構造を説明する。図１は本実施例のコンバータレンズを示す図であり、１０はコンバータレンズ、１１は鏡筒、Ｌ１は第一レンズ、１２は銘版シールと、後述する第二レンズＬ２から構成される。図２は図１のコンバータレンズの銘版１２を外した状態を示す図である。
【００１８】
図３は本実施例のコンバータレンズの銘版シール１２を外した状態の正面図で、１３は補強リブ、１４は空間部であり、図４は図３のＡの位置の断面を示す図である。図４において、４１はＬ１の保持部、４２はＬ２の保持部、４３は鏡筒１１の外壁部、４４は補強リブ１３に設けた銘版シール１２の貼り付けの為の面で、各補強リブ面を同一面とし、銘版シール１２を補強リブ１３の貼り付け面４４に貼り付ける。また、本実施例において、鏡筒１１は樹脂成型品から構成され、Ｌ１保持部４１とＬ２保持部４２は鏡筒１１と一体的に成形されている。
【００１９】
コンバータレンズ１０は鏡筒１１のＬ１側から、先ず第二レンズＬ２を挿入する。Ｌ２挿入後、Ｌ２レンズ保持部４２を熱カシメにてＬ２を鏡筒１１に固定する。同様にＬ１を鏡筒１１に挿入し、Ｌ１保持部４１を熱カシメにてＬ１を鏡筒１１に固定する。補強リブ１３はＬ１保持部４１と繋ぐように構成し、Ｌ１保持部４１の補強をしている。また、補強リブ１３は鏡筒１１の外壁部４３に繋がず空間部１４を設ける。補強リブ１３を外壁部４３と繋がない為に補強リブ１３の本数は従来例に比較し本数を多く従来のおよそ２倍の４６本設けている。
【００２０】
空間部１４を設けることで、コンバータレンズ１０の特に径方向からの衝撃を受けた際に、外壁部４３が変形することが可能となる。外壁部４３が変形することで衝撃を吸収し特にＬ１へ入力される衝撃を緩和することが可能となる。補強リブ１３の数を多くすることでＬ１保持部４１に十分な強度を持たせると同時に銘版シール１２の貼り付け面積を多くすることが可能となる。Ｌ１、Ｌ２を鏡筒１１に固定後、銘版シール１２を鏡筒１１に貼り付ける。
【００２１】
この様に構成することで、コンバータレンズ１０の径方向からの衝撃に対し空間部１４を設けることで外壁部４３が衝撃吸収できる様な状態となることで、特にＬ１への衝撃を緩和することが可能となる。更に、Ｌ１保持部４１の補強リブ１３を多くすることにより、銘版シール１２の貼り付け面積を多くし、貼り付け品質を向上する様に構成できる。また、レンズ枚数が１枚又は２枚を超える構成の場合も同様の構成とすることができる。
【００２２】
この様に、コンバータレンズの光学系の保持部と外壁部の間に空間部を構成し、落下等の際に空間部により外壁部が衝撃を変形、吸収できる様に構成することで、衝撃に対し、特に光学系に掛かる衝撃の緩和が可能となり、従来のコンバータレンズより衝撃に対する信頼性を向上することができる。
【符号の説明】
【００２３】
１０  コンバータレンズ、１１  鏡筒、１２  銘版シール
【図１】
2016090981.tif 000003
【図２】
2016090981.tif 000004
【図３】
2016090981.tif 000005
【図４】
2016090981.tif 000006
【図５】
2016090981.tif 000007
【図６】
2016090981.tif 000008
【図７】
2016090981.tif 000009
【図８】
2016090981.tif 000010